(57)【要約】      （修正有）【課題】車にヘッドレストの有する座席で、車両用調整背首受を用いて、運転者、同乗者の体形に応じ、後頭部から、首筋、肩口まで安定した受け止め方の調整する形態を、車の座席乗員に、車両用調整背首受を提供する。【解決手段】車の座席乗員の後頭部、首筋、肩口までの受止め方調整の出来る、小波背首受とダ円形筒状形の回転可能な調整パットを組み合わせた、調整背首受本体Ａをヘッドレスト１から吊るため、ヘッドレスト１に面ファスナー等の脱着機能のもつヘッドベルト３を巻きつけて、調整背首受本体Ａをつり、ヘッドレスト１と背もたれシートの空間を中心活用して、調整背首受のダ円形筒状形調整パットの回転のさせ方により、後頭部から、首筋、肩口までの受止め方調整や、ヘッドレスト１から、調整背首受の吊り方の上げ下げによる、背首等の受け止め方の微調整が出来、各乗員の体形に合せた二通りの背首等の受け止め方調整を出来るもので、万―の事故等時にも、後頭部から首筋等のショックの軽減を図ることができる。【選択図】図１
0003179544.tif 000002
【実用新案登録請求の範囲】
【請求項１】
―波山づつ、タテ並びに区切のついた複数の小波背首受で形成した小波背首受群と、その小波背首受群の裏面に、ダ円形筒状形の回転可能な調整パットを組合せた、車両用調整背首受本体であって、その車両用調整背首受本体を、ヘッドレストに吊った状態で、前記ダ円形筒状形の調整パットの回転のさせ方により、座席乗員の体形に合せた、後頭部から、首筋、肩口までの受け止め方を調整する形態の車両用調整背首受。
【請求項２】
前記車両用調整背首受本体を、ヘッドレストに吊るにあたって、マジックテープ(登録商標)等の脱着手段のもつヘッドベルトを、車両用ヘッドレストに巻きつけ、このヘッドベルトに、車両用調整背首受本体を、脱着自在に取り付けする形態の車両用調整背首受。
【請求項３】
前記ヘッドベルトは、帯板状で、ヘッドベルト本体中央に伸縮性を有する布ゴムを用い、その両サイドのベルトの表面に凹用、裏面には凸用のマジックテープ(登録商標)等の脱着機能をもたせた帯板状ベルトとした形態の車両用調整背首受。
【請求項４】
前記複数の小波背首受群を４段とし、裏面の上から二段目と三段目の間に、前記ダ円形筒状形調整パットを配した形態の車両用調整背首受。
【請求項５】
前記回転可能なダ円形筒状形調整パットを弾性のある平バンドで、小波背首受群の裏面に受け止める形態の車両用調整背首受。
【請求項６】
前記小波背首受群の、上から一段目の波山を、台形とした形態の車両用調整背首受。
【考案の詳細な説明】
【技術分野】
【０００１】
本考案は、車にヘッドレストの有する座席で、車両用調整背首受を用いて、運転者、同乗者の体形に応じ、後頭部から、首筋、肩口まで安定した受け止め方の調整する形態を、車の座席乗員に、車両用調整背首受を提供することを目的とする。
【背景技術】
【０００２】
従来の車は、座席のヘッドレストと背もたれシートのあいだに、首筋等受け止めにくい、空間のある構造になっており、座席で首筋等の中心に受け止めることの出来にくく、首筋等中心とした保護機能が欠け、首筋等の安定安全性を確保する必要性があった。
【考案の概要】
【考案が解決しようとする課題】
【０００３】
したがって、本考案は、車両ヘッドレストと背もたれシートの空間活用により、乗員の体形に合わせて保持できる車両用調整背首受を提供することにより、後頭部から、首筋、肩口まで、手軽に調整して受け止められ、首筋等中心に保護機能を有する様にしたものである。
【課題を解決するための手段】
【０００４】
、
ー波山づつ、タテ並びに区切のついた複数の小波背首受で形成した小波背首受群の裏面に、ダ円形筒状形で回転可能な調整パットを組合わせた、車両用調整背首受本体Aであって、その車両用調整背首受本体Aを、ヘッドレストに吊った状態で、前記ダ円形筒状形調整パット４の回転のさせ方により、座席乗員の体形に合わせた、後頭部Ｘから、首筋Ｙ、肩口Ｚ、までの受け止め方を調整する形態の車両用調整背首受とする。
【０００５】
また、前記車両用調整背首受本体Ａを吊るにあたって、マジックテープ(登録商標)等の脱着手段のもつヘッドベルト3を、車両用ヘッドレスト１に巻きつけ、このヘッドレスト１に、車両用調整背首受本体Ａを、脱着自在に取り付けする形態の車両用調整背首受とする。
【０００６】
更に、前記ヘッドベルト３は帯板状で、ヘッドベルト本体中央に伸縮性を用する布ゴム９を用い、その両サイドのベルトの表面１０に凹用、裏面には１１凸用のマジックテープ(登録商標)等の脱着機能をもたせた、帯板状ベルトからなる形態の車両用調整背首受とする。
【０００７】
また、前記複数の小波背首受群を四段とし、裏面の上から二段目と三段目の間に、前記ダ円形筒状形調整パット４を配した形態の車両用調整背首受とする。
【０００８】
更に、前記回転可能なダ円形筒状形調整パット４を弾性のある平バンド５で、前記小波背首受群の裏面に受け止める形態の車両用調整背首受とする。
【０００９】
また、前記小波背首受群の上から一段目の、波山１２を台形とした形態の車両用調整背首受とする。
（作用）
【００１０】
本考案は、車両用調整背首受本体Ａをヘッドレストから吊り、小波背首受２群裏面中央での、ダ円形筒状形の調整パットの回転のさせ方により、小波背首受の表面、背首の受け止め面の凹凸の変化をもたせ、背首の受け止め調整方法と、ヘッドレストから、車両用調整背首受本体Ａの、上げ下げによる自在性のもつ吊り方による、背首の受け止め方の微調整の出来る、二通りの背首の受け止め調整で、後頭部から首筋、肩口までの安定を保てて保護機能を有する車両用背首背首受である。
【００１１】
ダ円形筒状形調整パット４は、ダ円形筒形状形での回転のさせ方により、背首の受け止め方を、きめこまかく、首筋の上部、下部等、全体的の高低差の調整をもたらし受け止めることのできる車両用調整背首受である。
【考案の効果】
【００１２】
車にヘッドレストの有する座席で、手軽に、後頭部Ｘから、首筋Ｙ、肩口Ｚまでを、一体的にバランスよく受け止められ、座席の背もたれシートの角度の変化にも、首筋等受け止め方の調整でき、背首の保護機能を有するもので、座席でのリラックス感を実感でき、長時間の運転ドライブ等の疲れをやわらげてくれる効果等と、万一時の事故等時にも、後頭部から首筋等へのシヨックの軽減を望める車両用調整背首受である。
【図面の簡単な説明】
【００１３】
【図１】調整背首受の、座席での活用の断面図
【図２】座席に取り付けた、調整背首受の表面図
【図３】調整背首受の裏面
【図４】ヘッドベルトの表面図
【図５】ヘッドベルト断面図
【考案を実施するための形態】
【００１４】
車の座席での後頭部Xから、首筋Ｙ、肩口Ｚまでの受け止め方調整をする小波背首受２と、ダ円形筒状形で回転可能な調整パット４を組合せた車両用調整背首受を、ヘッドレスト１から吊るため、脱着手段をもつヘッドベルト３を、ヘッドレスト１に巻きつけ、車両用調整背首受Aを吊り、ヘッドレスト１と背もたれシートの空間での活用で、手軽に、ダ円形筒状形調整パット４の回転のさせ方による後頭部Xから、首筋Ｙ、肩口Ｚまでの、受け止め調整する形態と、ヘッドレスト１からの車両用調整背首受の吊り方の上げ下げによる、背首の受け止め方の微調整が出来、座席乗員の体形に合わせた二通りの背首の受け方の調整の出来る形態である。
【００１５】
上記の小波背首受群の、一波山づつ１３間をあけ区切りをつけているのは、小波背首受の一波山ごとの凹凸の変化させやすさ、折り目、区切つけ、背首に沿いやすさを有して受け止められて、通気性も、もたらせるものである。
【００１６】
車両用調整背首受の、小波背首受からなる小波背首受群は、四段の波山の上から一段目は後頭部、四段目は肩口等を受け止める捕助をおこなう、中央に位置する二段目と三段目の波山は、首筋等中心ポイントを受け止める形態である。
【００１７】
車両用調整背首受を、ヘッドレストに吊り下げた時に、ヘッドレスとの横巾から、はみ出して、運転手乗員の後部の視界の妨げにならぬよう、上から一段目の波山１２を台形にカットしている。
【００１８】
ダ円形筒状形調整パットは、中に入れる素材も、単性変形可能になるよう、低反発ウレタン、チップや、これらの混合素材で構成し、柔軟性のもちあわせているが、ヘッドレストの形状に応じて、ダ円形筒状形調整パットの形態も大小を用する。
【実施例】
【００１９】
ヘッドレストに、ヘッドベルトの巻きつけ方は、トラック、乗用車等、各車種によりヘッドレストの形も異なり、ヘッドベルトの巻きつけ方も、ヘッドレストと背もたれシート別々に分かれている分離型は、タテ巻き式で、ヘッドレストと背もたれシートとの一体形等は形状に合わせての、横まき式等、形状に応じた対応となる。
【００２０】
上記のヘッドベルトのタテ巻き式は、ヘッドレストから背もたれシートに差し込まれている2本の差込棒８の間にヘッドベルトを上下に通し、巻きつける。
【００２１】
ヘッドベルトの横まき式は、ヘッドレストと背もたれシートが一体形の形態の座席に巻付けるもので、ヘッドベルトをヘッドレストに巻きつけ方は、調整背首受の吊る位置を定て、左右、両面から巻きつけ方をする。
【００２２】
小波背首受は、上から一段目１２波山の裏面中央に、ヘッドレストから、調整背首受を吊るための、凸脱着テープ６を貼り付けている。
【００２３】
小波背首受は、一波山ごと中に入る素材の量や質の変化と、波山の高低差をもたらせる波山とする。
【符号の説明】
【００２４】
A           ２、４組合せ、調整背首受本体
Ｘ          後頭部
Ｙ          首筋
Ｚ          肩口
１          ヘッドレスト
２          小波背首受
３          脱着テープ付、ヘッドベルト
４          ダ円形筒状形調整パット
５          ダ円形筒状形調整パットを、支える平ゴムバンド
６          調整背首受を、吊るための凸脱着テープ
７          背もたれシート
８          背もたれシートに、差し込む連結棒
９          伸縮布板ゴム     
１０        ヘッドベルト、表面両サイド凹脱着テープ
１１        ヘッドベルト、裏面両サイド凸脱着テープ
１２        小波背首受、上段の台形部
１３        波山と波山の間あけ
【図１】
0003179544.tif 000003
【図２】
0003179544.tif 000004
【図３】
0003179544.tif 000005
【図４】
0003179544.tif 000006
【図５】
0003179544.tif 000007
【手続補正書】
【提出日】平成24年9月10日(2012.9.10)
【手続補正１】
【補正対象書類名】実用新案登録請求の範囲
【補正対象項目名】全文
【補正方法】変更
【補正の内容】
【実用新案登録請求の範囲】
【請求項１】
―波山づつ、タテ並びに区切のついた複数の小波背首受で形成した小波背首受群と、その小波背首受群の裏面に、ダ円形筒状形の回転可能な調整パットを組合せた、車両用調整背首受本体であって、その車両用調整背首受本体を、ヘッドレストに吊った状態で、前記ダ円形筒状形の調整パットの回転のさせ方により、座席乗員の体形に合せた、後頭部から、首筋、肩口までの受け止め方を調整する形態であることを特徴とする車両用調整背首受。
【請求項２】
前記車両用調整背首受本体を、ヘッドレストに吊るにあたって、面ファスナーによる脱着機能をもつヘッドベルトを、車両用ヘッドレストに巻きつけ、このヘッドベルトに、車両用調整背首受本体を、脱着自在に取り付けする形態であることを特徴とする請求項１記載の車両用調整背首受。
【請求項３】
前記ヘッドベルトは、帯板状で、ヘッドベルト本体中央に伸縮性を有する布ゴムを用い、その両サイドのベルトの表裏面に面ファスナーの脱着機能をもたせた帯板状ベルトとした形態であることを特徴とする請求項２記載の車両用調整背首受。
【請求項４】
前記複数の小波背首受群を４段とし、裏面の上から二段目と三段目の間に、前記ダ円形筒状形調整パットを配した形態であることを特徴とする請求項１記載の車両用調整背首受。
【請求項５】
前記回転可能なダ円形筒状形調整パットを弾性のある平バンドで、小波背首受群の裏面に受け止める形態であることを特徴とする請求項１又は請求項４記載の車両用調整背首受。
【請求項６】
前記小波背首受群の、上から一段目の波山を、台形とした形態であることを特徴とする請求項１記載の車両用調整背首受。
【手続補正２】
【補正対象書類名】明細書
【補正対象項目名】０００５
【補正方法】変更
【補正の内容】
【０００５】
また、前記車両用調整背首受本体Ａを吊るにあたって、面ファスナーの脱着機能のもつヘッドベルト3を、車両用ヘッドレスト１に巻きつけ、このヘッドレスト１に、車両用調整背首受本体Ａを、脱着自在に取り付けする形態の車両用調整背首受とする。
【手続補正３】
【補正対象書類名】明細書
【補正対象項目名】０００６
【補正方法】変更
【補正の内容】
【０００６】
更に、前記ヘッドベルト３は帯板状で、ヘッドベルト本体中央に伸縮性を有する布ゴム９を用い、その両サイドのベルトの表面１０と、裏面１１に面ファフナーの脱着機能をもたせた、帯板状ベルトからなる形態の車両用調整背首受とする。